(57)【要約】【課題】常時、身体が入り込んだり、手足など挟み込むようなことのないようにした、身体保護用手段を備えた折り畳み式側柵およびその身体保護用手段を提供する。【解決手段】サイドフレームＳｆの取付穴に着脱可能に設けた折り畳み式側柵２に、身体保護用網部材９を張設する。身体保護用網部材９は、角目（正方形目）の網状体９ａで実質的に構成する。この網状体９ａは、例えばナイロン製の撚り糸（太さ１〜２ｍｍ）で構成し、網目の大きさを望ましくは、５〜１４ｍｍとする。この網目の大きさは、大多数の人間の小指が入らないようにするための寸法目安であり、使用者に応じて選択するようにすることができる。また、前記網状体９ａは側柵２に装着する際、網目を構成する横糸、縦糸を、それぞれ立位状態にある折り畳み式側柵２における下部横桟部材５、上部横桟部材７、および支柱６の軸方向に合わせるように装着する。【選択図】　　　　　　　図１
2004121681.tif 000002
【特許請求の範囲】
【請求項１】
ベッド等におけるサイドフレームに、取付手段により着脱可能に設けた下部横桟部材と、下部横桟部材上に下端側を折り畳み自在に取り付けた複数の支柱と、これら支柱の上端側に、下端側とは逆方向に回動自在に取り付けた上部横桟部材と、複数の支柱を立位状態に保持したり、下部横桟部材上に支柱と上部横桟部材とを折り畳むように解除するロック機構を備え、前記下部横桟部材と上部横桟部材間に身体保護用網部材を張設し、この身体保護用網部材は、立位状態にある複数の支柱と、下部横桟部材と上部横桟部材とで囲う面をカバー可能な網状体と、この網状体の下辺側に取り付けて、網状体下辺側を下部横桟部材に着脱可能に装着する下部着脱取付手段と、網状体の側辺側に取り付けて、網状体側辺側を支柱に着脱可能に装着する側部着脱取付手段とを具備し、網状体の上辺側に、上部横桟部材に嵌合係止する係止部材を設けたことを特徴とする身体保護用手段を備えた折り畳み式側柵。
【請求項２】
前記下部着脱取付手段は、網状体の下辺側に沿って、網状体長手両端近傍と、中間の所定の位置に取り付けた下部締結帯と、下部締結帯を下部横桟部材に巻き付けた状態で下部締結帯を保持する着脱止着手段とを備えたことを特徴とする請求項１記載の身体保護用手段を備えた折り畳み式側柵。
【請求項３】
前記側部着脱取付手段は、側柵両端に位置する支柱に対応する網状体の側辺側に取り付けた側部締結帯と、側部締結帯を前記支柱に巻き付けた状態で側部締結帯を保持する着脱止着手段とを備えたことを特徴とする請求項１または２記載の身体保護用手段を備えた折り畳み式側柵。
【請求項４】
前記網状体の網目を正方形目とし、正方形目は、側柵における下部横桟部材、上部横桟部材、および立位状態における支柱の指向する方向に合わせるように網状体を側柵に装着するようにしたことを特徴とする請求項１ないし３記載のうち、いずれか１記載の身体保護用手段を備えた折り畳み式側柵。
【請求項５】
前記網状体の網目である正方形目は、５〜１４ｍｍとしたことを特徴とする請求項４記載の身体保護用手段を備えた折り畳み式側柵。
【請求項６】
折り畳み式側柵における下部横桟部材と、下部横桟部材上に折り畳み自在な複数の支柱の上端側に回動自在に取り付けた上部横桟部材との間に、立位状態にある複数の支柱と、下部横桟部材と上部横桟部材とで囲う面をカバー可能な網状体と、この網状体の下辺側に取り付けて、網状体下辺側を下部横桟部材に着脱可能に装着する下部着脱取付手段と、前記網状体の側辺側に取り付けて、網状体側辺側を支柱に着脱可能に装着する側部着脱取付手段とを具備し、前記網状体の上辺側に、上部横桟部材に嵌合係止する係止部材を設けた身体保護用網部材を張設して構成したことを特徴とする折り畳み式側柵における身体保護用手段。
【請求項７】
前記下部着脱取付手段は、網状体の下辺側に沿って、網状体長手両端近傍と、中間の所定の位置に取り付けた下部締結帯と、下部締結帯を下部横桟部材に巻き付けた状態で下部締結帯を保持する着脱止着手段とを備えたことを特徴とする請求項６記載の折り畳み式側柵における身体保護用手段。
【請求項８】
前記側部着脱取付手段は、側柵両端に位置する支柱に対応する網状体の側辺側に取り付けた側部締結帯と、側部締結帯を前記支柱に巻き付けた状態で側部締結帯を保持する着脱止着手段とを備えたことを特徴とする請求項６記載の折り畳み式側柵における身体保護用手段。
【請求項９】
前記網状体の網目を正方形目とし、正方形目は、側柵における下部横桟部材、上部横桟部材、および立位状態における支柱の指向する方向に合わせるように網状体を側柵に装着するようにしたことを特徴とする請求項６ないし８記載のうち、いずれか１記載の折り畳み式側柵における身体保護用手段。
【請求項１０】
前記網状体の網目である正方形目は、５〜１４ｍｍとしたことを特徴とする請求項９記載の折り畳み式側柵における身体保護用手段。
【発明の詳細な説明】
【０００１】
【発明の属する技術分野】
本発明は、ベッド等の側面をカバーし、ベッドへの乗り降りや治療処置時など必要に応じて、サイドフレーム上に折り畳めるようにした折り畳み式側柵において、常時、身体が入り込んだり、手足など挟み込むようなことのないようにした、身体保護用手段を備えた折り畳み式側柵およびその身体保護用手段に関するものである。
【０００２】
【従来の技術】
従来、ベッド等のサイドフレームに設けられる側柵としては、サイドフレームに差し込むだけの差込式側柵の他、必要時に持ち上げてベッド側面をカバーできるようにした折り畳み式側柵を挙げることができる。
かかる折り畳み式側柵は、差込式側柵のように、いちいち外したり取り付けたりする必要がないので、手間がかからない。反面、前記折り畳み式側柵は、起伏可能に取り付けられた複数の支柱を折り畳む際に、支柱間に布団などが挟まったり、使用者の手足などを挟んだりして怪我するおそれがある。
【０００３】
そこで、ベッド１における折り畳み式側柵２に（１）網目状の袋体３からなる身体保護用手段を被せるようにする手段が提案され（図８，図９参照）、さらには、（２）前記折り畳み式側柵に巻き取り方式のスクリーン部材を張設させる身体保護用手段を提案している（特開２０００−２４５７８０号、特開２０００−２４５７８１号参照）。
【０００４】
【発明が解決しようとする課題】
しかしながら、前者（１）の身体保護用手段では、側柵２を畳んだときが問題で、▲１▼網目状袋体３が緩み、上部横桟部材を手を着いたりすると滑るおそれがある。▲２▼網目状袋体３が緩んで垂れ下がり、看護行為や回診の際にワゴン、カート、その他の機器類を引っ掛けるおそれがある。▲３▼側柵２の上部横桟部材を持ち上げるとき網が引っ掛かるおそれがある。▲４▼網目状袋体３のため、両端がめくれやすく、手、足、頭が、袋体内側に入りやすい。▲５▼網目状袋体３（二重）のため、使用者は閉塞感を感じることとなる。
一方、後者（２）の身体保護用手段では、保持枠体、係止枠、巻き取り機構等部品点数が多く、取付スペースも考慮せねばならない。
本発明は、以上のような課題を改善するために提案されたものであって、構成が簡単で、常時、身体が入り込んだり、手足など挟み込むようなことのないようにした、身体保護用手段を備えた折り畳み式側柵およびその身体保護用手段を提供することを目的とする。
【０００５】
【課題を解決するための手段】
前記した課題を解決するために、本発明では、請求項１において、ベッド等におけるサイドフレームに、取付手段により着脱可能に設けた下部横桟部材と、下部横桟部材上に下端側を折り畳み自在に取り付けた複数の支柱と、これら支柱の上端側に、下端側とは逆方向に回動自在に取り付けた上部横桟部材と、複数の支柱を立位状態に保持したり、下部横桟部材上に支柱と上部横桟部材とを折り畳むように解除するロック機構を備え、前記下部横桟部材と上部横桟部材間に身体保護用網部材を張設し、この身体保護用網部材は、立位状態にある複数の支柱と、下部横桟部材と上部横桟部材とで囲う面をカバー可能な網状体と、この網状体の下辺側に取り付けて、網状体下辺側を下部横桟部材に着脱可能に装着する下部着脱取付手段と、網状体の側辺側に取り付けて、網状体側辺側を支柱に着脱可能に装着する側部着脱取付手段とを具備し、網状体の上辺側に、上部横桟部材に嵌合係止する係止部材を設けた身体保護用手段を備えた折り畳み式側柵を提案する。
また本発明では、請求項２において、前記下部着脱取付手段は、網状体の下辺側に沿って、網状体長手両端近傍と、中間の所定の位置に取り付けた下部締結帯と、下部締結帯を下部横桟部材に巻き付けた状態で下部締結帯を保持する着脱止着手段とを備えた身体保護用手段を備えた折り畳み式側柵を提案する。
また本発明では、請求項３において、前記側部着脱取付手段は、側柵両端に位置する支柱に対応する網状体の側辺側に取り付けた側部締結帯と、側部締結帯を前記支柱に巻き付けた状態で側部締結帯を保持する着脱止着手段とを備えた身体保護用手段を備えた折り畳み式側柵を提案する。
また本発明では、請求項４において、前記網状体の網目を正方形目とし、正方形目は、側柵における下部横桟部材、上部横桟部材、および立位状態における支柱の指向する方向に合わせるように網状体を側柵に装着するようにした身体保護用手段を備えた折り畳み式側柵を提案する。
また本発明では、請求項５において、前記網状体の網目である正方形目は、５〜１４ｍｍとした身体保護用手段を備えた折り畳み式側柵を提案する。
また本発明では、請求項６において、折り畳み式側柵における下部横桟部材と、下部横桟部材上に折り畳み自在な複数の支柱の上端側に回動自在に取り付けた上部横桟部材との間に、立位状態にある複数の支柱と、下部横桟部材と上部横桟部材とで囲う面をカバー可能な網状体と、この網状体の下辺側に取り付けて、網状体下辺側を下部横桟部材に着脱可能に装着する下部着脱取付手段と、前記網状体の側辺側に取り付けて、網状体側辺側を支柱に着脱可能に装着する側部着脱取付手段とを具備し、前記網状体の上辺側に、上部横桟部材に嵌合係止する係止部材を設けた身体保護用網部材を張設して構成した折り畳み式側柵における身体保護用手段を提案する。
また本発明では、請求項７において、前記下部着脱取付手段は、網状体の下辺側に沿って、網状体長手両端近傍と、中間の所定の位置に取り付けた下部締結帯と、下部締結帯を下部横桟部材に巻き付けた状態で下部締結帯を保持する着脱止着手段とを備えた折り畳み式側柵における身体保護用手段を提案する。
また本発明では、請求項８において、前記側部着脱取付手段は、側柵両端に位置する支柱に対応する網状体の側辺側に取り付けた側部締結帯と、側部締結帯を前記支柱に巻き付けた状態で側部締結帯を保持する着脱止着手段とを備えた折り畳み式側柵における身体保護用手段を提案する。
また本発明では、請求項９において、前記網状体の網目を正方形目とし、正方形目は、側柵における下部横桟部材、上部横桟部材、および立位状態における支柱の指向する方向に合わせるように網状体を側柵に装着するようにした折り畳み式側柵における身体保護用手段を提案する。
さらに本発明では、請求項１０において、前記網状体の網目である正方形目は、５〜１４ｍｍとした折り畳み式側柵における身体保護用手段を提案する。
【０００６】
請求項１によれば、立位状態にある複数の支柱と、下部横桟部材と上部横桟部材とで囲う面をカバー可能な網状体は、網状体の上辺側の係止部材を、上部横桟部材に嵌合係止する一方、網状体の下辺側の下部着脱取付手段を下部横桟部材に巻き付けると共に下部着脱取付手段を着脱止着手段によって止着し、さらに網状体の側辺側の側部着脱取付手段を支柱に巻き付けると共に側部着脱取付手段を着脱止着手段によって止着することで張設することができる。
【０００７】
請求項２によれば、網状体の下辺側は、網状体の下辺側に沿って取り付けた下部締結帯を、下部横桟部材に巻き付けると共に、着脱止着手段によって止め付けることができる。
【０００８】
請求項３によれば、網状体の側辺側は、網状体の側辺側に取り付けた側部締結帯を、支柱に巻き付けると共に、着脱止着手段によって止め付けることができる。
【０００９】
請求項４によれば、側柵における上部横桟部材と共に、支柱を倒伏していくと、網状体の網目は、それぞれ上部横桟部材、および支柱の動きに追従して正方形目から菱形状に変形し、網状体は全体的に上部横桟部材、および支柱と共に折り畳まれる。
【００１０】
請求項５によれば、網状体の網目の大きさを５〜１４ｍｍとすることにより、大多数の人の指は、網目を通って絡むようなことはない。
【００１１】
請求項６によれば、網状体は立位状態にある複数の支柱と、下部横桟部材と上部横桟部材とで囲う面をカバーする大きさであり、網状体の上辺側の係止部材を上部横桟部材に嵌合係止する一方、下辺側の下部着脱取付手段を下部横桟部材に装着し、さらに側辺側の側部着脱取付手段を支柱に装着するので、側柵を折り畳んでいっても、網状体は支柱と上部横桟部材とに追従し、弛みを抑制することができる。
【００１２】
請求項７によれば、網状体の下辺側は、網状体の下辺側に沿って取り付けた下部締結帯を、下部横桟部材に巻き付け、着脱止着手段によって止め付けることができる。
【００１３】
請求項８によれば、網状体の側辺側は、網状体の側辺側に取り付けた側部締結帯を、支柱に巻き付けると共に、着脱止着手段によって止め付けることができる。
【００１４】
請求項９によれば、側柵における上部横桟部材と共に、支柱を倒伏していくと、網状体の網目は、それぞれ上部横桟部材、および支柱の動きに追従して正方形目から菱形状に変形し、網状体は全体的に上部横桟部材、および支柱と共に折り畳まれる。
【００１５】
請求項１０によれば、網状体の網目の大きさを５〜１４ｍｍとしたので、大多数の人の指を通さないようにすることができる。
【００１６】
【発明の実施の形態】
以下、本発明にかかる身体保護用手段を備えた折り畳み式側柵およびその身体保護用手段につき、一つの実施の形態を挙げ、添付の図面に基づいて説明する。図１に示す折り畳み式側柵２は、図示しないベッド等におけるサイドフレームＳｆの取付穴に、取付手段４により着脱可能に設けた下部横桟部材５と、下部横桟部材５上に下端側を一方向に折り畳み自在に取り付けた複数の支柱６と、これら支柱６の上端側に、下端側とは逆方向に回動自在に取り付けた上部横桟部材７と、複数の支柱６を立位状態に保持したり、解除するためのロック機構８を備えている。
そして、前記下部横桟部材５と上部横桟部材７との間には身体保護用網部材９を張設している。
【００１７】
ここで身体保護用網部材９について説明する。
身体保護用網部材９は、図１，図２に示すように立位状態にある折り畳み式側柵２をほぼカバーする面積の角目（正方形目）の網状体９ａで実質的に構成している。この網状体９ａは、例えばナイロン製の撚り糸（太さ１〜２ｍｍ）で構成したもので、網目の大きさを望ましくは、５〜１４ｍｍとしている。この網目の大きさは、大多数の人間の小指が入らないようにするための寸法目安であり、使用者に応じて選択するようにすることができる。
また、網状体９ａ全体の寸法として、横の寸法が前記下部横桟部材５および上部横桟部材７の長さ寸法より若干小さめとしている。一方、縦方向の寸法は、前記支柱６の長さと同等か、若干大きめとすることができる。このように前記網状体９ａは、立位状態にある折り畳み式側柵２をほぼカバーすることが望ましいのであるが、折り畳み式側柵２を、サイドフレームＳｆにおける取付穴に、取付手段４を差し込んで固定支持する際、折り畳み式側柵２における下部横桟部材５近傍は、ベッドにおけるボトム上のマットレスより下にもたらされ、ベッド使用者からは隔離されるので、必ずしも前記下部横桟部材５近傍は前記網状体９ａでカバーしなくともよい。
そして、前記網状体９ａは側柵２に装着する際、網目を構成する横糸、縦糸を、それぞれ立位状態にある折り畳み式側柵２における下部横桟部材５、上部横桟部材７、および支柱６の軸方向に合わせるように装着するようにしている。
なお、前記網状体９ａには、周辺部に縁布９ｂを縫着している。
【００１８】
そして、前記網状体９ａの、下部横桟部材５に対応する下辺側には、下部着脱取付手段として、布製の下部締結帯１０を縫着し、側柵２両端に位置する支柱６に対応する側辺側には側部着脱取付手段として側部締結帯１１を縫着し、さらに、上部横桟部材７に対応する上辺側の両端近傍、および中間箇所には、上部横桟部材７に嵌合係止できるように断面形状が成形された、適宜な素材の係止部材１２，１２，１２を取り付けている。
【００１９】
前記下部締結帯１０は、下部横桟部材５に巻き止めるに十分な長さを有し、下部締結帯１０下端側と縫着箇所である基部側の縁布９ｂとに取着した着脱止着手段（図示省略）で下部横桟部材５に網状体９ａ下辺側を止め付けるようにしている。この場合、着脱止着手段は例えば面ファスナであるが、その他、ホック（スナップファスナ）も可能である（図３参照）。
【００２０】
また、前記側部締結帯１１は、支柱６に巻き止めるに足る長さ寸法を有し、着脱止着手段としてホック（スナップファスナ）を用いることができる。勿論、ホック（スナップファスナ）の代わりに面ファスナも可能である。
【００２１】
そして、前記上部横桟部材７に嵌合係止する係止部材１２は、断面形状が上部横桟部材７を挟み込む嵌合部１２ａと、網状体９ａ上辺側の縁布９ｂにかしめ止めするための取付基部１２ｂを備えている。この場合、前記網状体９ａ上辺側の縁布９ｂには、係止部材１２の取付基部１２ｂを確実に固定するために補強枠１３を縫い込んであり（図３参照）、かかる補強枠１３を介して取付基部１２ｂをかしめ止めしている。また、係止部材の嵌合部１２ａ内側には、前記上部横桟部材７を挟み込んだ際、上部横桟部材７から脱落しないように保持するための脱落阻止片１２ｃ，１２ｃを突設している。
【００２２】
以上のように構成される身体保護用手段を備えた折り畳み式側柵２において、折り畳み式側柵２に、身体保護用手段である身体保護用網部材９を取り付ける手順を説明する。
サイドフレームＳｆにおける取付穴に折り畳み式側柵２を取り付ける前に、先ずロック機構８を操作して、複数の支柱６を立位状態に保持しておく。
次いで、身体保護用網部材９を拡げて身体保護用網部材９を取り付けた際に網状体９ａが、ベッドのボトム側に面するように、前記網状体９ａ上に折り畳み式側柵２を載置する。
【００２３】
ここで、折り畳み式側柵２における下部横桟部材５には、網状体９ａの下辺側の縁布９ｂに縫い付けた下部締結帯１０をそれぞれ巻き付けて、下部締結帯１０下端側と対応する下部締結帯１０基部側の縁布９ｂに取着した着脱止着手段で下部横桟部材５に網状体９ａ下端側を止め付けることができる。
また、側柵２両端に位置する支柱６に対しては、網状体９ａの側辺側の側部締結帯１１を巻き付けて、着脱止着手段であるホックで止め付けることができる。
【００２４】
そして、折り畳み式側柵２における上部横桟部材７には、上部横桟部材７に対応する上辺側の両端近傍、および中間箇所に設けた係止部材１２，１２，１２の嵌合部１２ａを拡開した状態で、上部横桟部材７上方から挟み込むように嵌合する。これにより、係止部材１２の嵌合部１２ａ内側の脱落阻止片１２ｃ，１２ｃが、前記上部横桟部材７の下縁側に係合するので、網状体９ａ上辺側を、上部横桟部材７から脱落しないように保持することができる。
【００２５】
以上のようにして身体保護用網部材９を止め付けた折り畳み式側柵２は、サイドフレームＳｆにおける取付穴に、取付手段４を差し込んで固定支持することができ、側柵として使用できる状態となる。
【００２６】
折り畳み式側柵２をサイドフレームＳｆにおける取付穴に装着すると、身体保護用網部材９は、折り畳み式側柵２をほぼ全体をカバーしており、網状体９ａは、ベッドのボトム側に面しているので、使用者の手足や、頭などは、網目５〜１４ｍｍの網状体９ａを通して折り畳み式側柵２の支柱６間に差し込まれるのを阻止することができる（図６、図７参照）。この場合、使用者に応じて５〜１４ｍｍの範囲の網目の網状体９ａから選択した網状体９ａを用いるようにすれば、一層効果的である。
また網状体９ａは、５〜１４ｍｍの範囲の網目のものであるので透視性が阻害されず、網状体９ａが目障りとなるようなことはなく、使用者は圧迫感、閉塞感を抱くようなことはない。
【００２７】
次に、ロック機構８を操作して折り畳み式側柵２を折り畳む際、上部横桟部材７を持ちながら、上部横桟部材７を下降させて、支柱６を折り畳んでいく（図４参照）。この際、網状体９ａは、下辺側が下部締結帯１０を下部横桟部材５に巻き付けて着脱止着手段により止め付けられ、側辺側は、側柵２両端に位置する支柱６に対して、側部締結帯１１を巻き付けて、ホック止めしてあり、上辺側は、上部横桟部材７に、上部横桟部材７に対応する上辺側の両端近傍、および中間箇所に設けた係止部材１２，１２，１２により、脱落しないように保持されており、しかも網状体９ａは側柵２に装着する際、網目を構成する横糸、縦糸を、それぞれ立位状態にある折り畳み式側柵２における下部横桟部材５、上部横桟部材７、および支柱６の軸方向に合わせるように装着するようにしており、さらには、網状体９ａ縦方向の寸法は、前記支柱６の長さと同等か、若干大きめとすれば、網状体９ａはずれることなく、余裕を以て側柵２の変位に追従して、網目が個々に菱形状に変形して全体が折り畳まれるので、従来例の如く弛んで支柱６などに引っかかったり、介護者等の邪魔になったりすることがない。また、突っ張ったりして側柵２の動きを阻害するようなこともなく、さらに側柵２の折り畳み途中で、手足、布団の端を巻き込むおそれもない（図５参照）。
【００２８】
【発明の効果】
以上、本発明によれば、
（１）身体保護用網部材を構成する網状体は、係止部材を介して上部横桟部材に取り付けているので、上部横桟部材に手を着いたりしても問題はない。
（２）身体保護用網部材を構成する網状体は、立位状態にある複数の支柱と、下部横桟部材と上部横桟部材とで囲う面を全面的にカバー可能であり、角目であるので、側柵の折り畳みにも追従し、網状体が垂れ下がるようなことはなく、看護行為や回診の際にワゴン、カート、その他の機器類を引っ掛けるおそれはない。
（３）網状体は５〜１４ｍｍの範囲の角目であるので、大多数の人の指が網目間に入り込んで絡まるということがない。
（４）網状体は５〜１４ｍｍの範囲の角目であるので、透視性が阻害されず、網状体が目障りとなるようなことはなく、使用者は圧迫感、閉塞感を抱くようなことはない。
（５）構成が簡単であり、部品点数が少なく、取付スペースも問題ではない。
【００２９】
【図面の簡単な説明】
【図１】本発明にかかる身体保護用手段を張設した折り畳み式側柵のベッド上のマットレス側から見た、外観斜視図である。
【図２】本発明にかかる身体保護用手段を張設した折り畳み式側柵のベッド側面外側から見た、外観斜視図である。
【図３】身体保護用手段を張設した折り畳み式側柵の、縦断面説明図である。
【図４】図１，図２に示す折り畳み式側柵を折り畳む状態を示した、側面図である。
【図５】図１，図２に示す折り畳み式側柵の折り畳みを完了した状態を示した、側面図である。
【図６】折り畳み式側柵に張設した身体保護用手段とベッド使用者との関係を示した、外観斜視説明図である。
【図７】折り畳み式側柵の、身体保護用手段を張設した側からの、外観斜視説明図である。
【図８】従来における身体保護用手段を折り畳み式側柵に張設したところを示す、斜視説明図である。
【図９】図８に示す折り畳み式側柵を折り畳んだ状態を示す、斜視説明図である。
【符号の説明】
１　　　　　　　　　　　　　ベッド
２　　　　　　　　　　　　　折り畳み式側柵
３　　　　　　　　　　　　　袋体
４　　　　　　　　　　　　　取付手段
５　　　　　　　　　　　　　下部横桟部材
６　　　　　　　　　　　　　支柱
７　　　　　　　　　　　　　上部横桟部材
８　　　　　　　　　　　　　ロック機構
９　　　　　　　　　　　　　身体保護用網部材
９ａ　　　　　　　　　　　　網状体
９ｂ　　　　　　　　　　　　縁布
１０　　　　　　　　　　　　下部締結帯
１１　　　　　　　　　　　　側部締結帯
１２　　　　　　　　　　　　係止部材
１２ａ　　　　　　　　　　　嵌合部
１２ｂ　　　　　　　　　　　取付基部
１２ｃ　　　　　　　　　　　脱落阻止片
１３　　　　　　　　　　　　補強枠
Ｓｆ　　　　　　　　　　　　サイドフレーム
【図１】
2004121681.tif 000003
【図２】
2004121681.tif 000004
【図３】
2004121681.tif 000005
【図４】
2004121681.tif 000006
【図５】
2004121681.tif 000007
【図６】
2004121681.tif 000008
【図７】
2004121681.tif 000009
【図８】
2004121681.tif 000010
【図９】
2004121681.tif 000011